(57)【要約】【課題】  スピーカを有したプロジェクタを移動するとき携帯性がよく、しかも収納性に優れたプロジェクタを提供することにある。【解決手段】  扉３は、外装ケース２ａの両側面に２枚設けられている。さらに、２枚の扉３，３は、本体２に対して扇状に拡くように設けられている。２つのスピーカ４，４は、２枚の扉３，３の開動作により、本体２と扉３，３との間にそれぞれ畳まれていた状態から迫り出した状態に動作する。迫り出した状態になったことにより、スピーカ４は、視聴者方向Ｂに対して音声を出力することが可能になる。【選択図】    図１
2005308772.tif 000002
【特許請求の範囲】
【請求項１】
画像を投写するための投写部を有する本体を備えたプロジェクタであって、
前記本体の少なくとも一面に、開閉可能に設けられた扉部と、
前記扉部の開動作により前記本体と前記扉部との間に聴音可能な状態に迫り出され、前記扉部の閉動作により前記本体と前記扉部との間に収納される可動可能なスピーカと
を有することを特徴とするプロジェクタ。
【請求項２】
請求項１に記載のプロジェクタであって、
前記スピーカは、前記扉部を開動作させたときに、前記投写部から前記画像が投写される方向に対し、反対方向に向けて音が出るように迫り出すことを特徴とするプロジェクタ。
【請求項３】
請求項１又は２に記載のプロジェクタであって、
前記扉部は、前記本体の二面に２つ設けられ、前記本体に対しヒンジ部を介して扇状に拡がるように開閉することを特徴とするプロジェクタ。
【請求項４】
請求項１〜３のいずれか１項に記載のプロジェクタであって、
前記スピーカは前記本体と前記扉部にそれぞれ連結部を介して回動可能に連結されており、前記連結部の少なくとも一方は前記本体と前記扉部との少なくとも一方に摺動可能に設けられ、前記扉部の開閉動作に連動して前記スピーカを迫り出し動作および収納動作させるリンク機構を備えたことを特徴とするプロジェクタ。
【請求項５】
請求項１〜４のいずれか１項に記載のプロジェクタであって、
前記本体は、前記扉部の開状態または閉状態を検出する検出部と、前記プロジェクタを制御する制御部とを備え、
前記制御部は、前記扉部の閉状態を前記検出部により検出したときに前記プロジェクタの機能を停止し、前記扉部の開状態を前記検出部により検出したときに前記プロジェクタの機能の実行を許可することを特徴とするプロジェクタ。
【請求項６】
請求項５に記載のプロジェクタであって、
前記制御部は、前記扉部の閉状態を前記検出部により検出したときに前記プロジェクタの電源をオフし、前記扉部の開状態を前記検出部により検出したときに前記電源をオンすることを特徴とするプロジェクタ。
【請求項７】
請求項５に記載のプロジェクタであって、
前記本体は、記録媒体を再生する再生装置を備え、前記検出部の信号に基づき前記扉部が閉状態のときに前記再生装置の再生を停止し、前記扉部が開状態のときに前記再生装置の再生を許可することを特徴とするプロジェクタ。
【請求項８】
請求項５に記載のプロジェクタであって、
前記投写部は、前記本体に対し出没可能に設けられ、前記検出部の信号に基づき前記扉部が閉状態のときに前記本体に退避し、前記扉部が開状態のときに前記本体から突出することを特徴とするプロジェクタ。
【発明の詳細な説明】
【技術分野】
【０００１】
本発明は、スピーカを備えたプロジェクタに関する。
【背景技術】
【０００２】
従来のプロジェクタは、パーソナルコンピュータ（以下、パソコンという）などから入力した画像を投写するだけでなく、ビデオ再生装置などから入力した画像とともに音声を出力することが可能になっている。音声を出力するために、プロジェクタには、スピーカが内蔵されている。内蔵されているスピーカは、一般的に小型のモノラルスピーカのため音質や音量の面で限界があり、これにより、高音質・大音量を望む声が高まってきている（例えば、特許文献１）。
よって、ユーザは出力される音声を高音質・大音量にするために、図１４に記載のように、プロジェクタ１０１にスピーカシステム１０２を接続し、音質を向上させるとともに音量を大きくさせて聞いていた。
【０００３】
【特許文献１】特開平２００３−２８００９８号公報
【発明の開示】
【発明が解決しようとする課題】
【０００４】
しかしながら、上記従来のプロジェクタ１０１は、プロジェクタ１０１と別に用意したスピーカシステム１０２とが配線１０３で繋がれているため、場所を移動するときなど携帯性が悪かった。更に、使い終わったあとの片付けは、プロジェクタ１０１とスピーカシステム１０２とを接続している配線１０３や電源コード１０４を外すなどの煩わしい作業があった。また、収納時においては、プロジェクタ１０１と別体のスピーカシステム１０２があるため広い収納スペースを必要とするなどの問題があった。
【０００５】
本発明は、スピーカを有したプロジェクタを移動するとき携帯性がよく、しかも収納性に優れたプロジェクタを提供することにある。
【課題を解決するための手段】
【０００６】
上記問題を解決するために、本発明に係るプロジェクタは、画像を投写するための投写部を有する本体を備えたプロジェクタであって、前記本体の少なくとも一面に、開閉可能に設けられた扉部と、前記扉部の開動作により前記本体と前記扉部との間に聴音可能な状態に迫り出され、前記扉部の閉動作により前記本体と前記扉部との間に収納される可動可能なスピーカとを有する。
【０００７】
この構成によれば、開閉可能に設けられた扉部の開動作によりスピーカが視聴者に対して聴音可能な状態に迫り出すので、音声を聞くことが可能になる。また、扉部の閉動作によりスピーカがプロジェクタの本体と扉部との間に収納されるので、プロジェクタを移動するときの携帯性に優れ、しかも使用後の収納性を向上させることができる。
【０００８】
上記した本発明に係るプロジェクタによれば、前記スピーカは、前記扉部を開動作させたときに、前記投写部から前記画像が投写される方向に対し、反対方向に向けて音が出るように迫り出すことが望ましい。
【０００９】
この構成によれば、スピーカを画像の投写方向に対し反対方向に向けて音が出るように迫り出させることにより、視聴者方向に向けて音声を出力させることが可能になる。
【００１０】
上記した本発明に係るプロジェクタでは、前記扉部は、前記本体の二面に２つ設けられ、前記本体に対しヒンジ部を介して扇状に拡がるように開閉することが望ましい。
【００１１】
この構成によれば、前記扉部は、ヒンジ部を介して扇状に拡げることにより、プロジェクタを使用するとき拡げた扉によって本体を支持することができ、これにより、安定した状態で本体を立てることが可能になる。また、扉部を扇状に拡げることにより、迫り出したスピーカ後方には扉と本体とによって囲まれた空間を有するため、出力された音の視聴者方向への指向性を向上させることができる。
【００１２】
上記した本発明に係るプロジェクタでは、前記スピーカは前記本体と前記扉部にそれぞれ連結部を介して回動可能に連結されており、前記連結部の少なくとも一方は前記本体と前記扉部との少なくとも一方に摺動可能に設けられ、前記扉部の開閉動作に連動して前記スピーカを迫り出し動作および収納動作させるリンク機構を備えることが望ましい。
【００１３】
この構成によれば、スピーカと本体と扉とを連結したリンク機構を備えたことにより、扉の開動作に連動してスピーカを視聴者方向側に迫り出すことが可能になり、扉の閉動作に連動してスピーカを本体と扉との間に収納することが可能になる。よって、プロジェクタを使うときには、迫り出されたスピーカによって音質が良く大きな音量の音声を聞くことが可能になる。また、プロジェクタを使い終わったあとは、スピーカを本体と扉との間に収納することができる。その結果、プロジェクタを移動するときの携帯性に優れ、しかも使用後の収納性を向上させることが可能になる。また、聴音する方向に応じて、扉の開く角度を調整し、スピーカの向きを変えることが可能になる。
【００１４】
上記した本発明に係るプロジェクタでは、前記本体は、前記扉部の開状態または閉状態を検出する検出部と、前記プロジェクタを制御する制御部とを備え、前記制御部は、前記扉部の閉状態を前記検出部により検出したときに前記プロジェクタの機能を停止し、前記扉部の開状態を前記検出部により検出したときに前記プロジェクタの機能の実行を許可することが望ましい。
【００１５】
この構成によれば、扉の開閉状態を検出する扉開閉検出部を備えたので、扉の開閉状態に応じてプロジェクタの機能を実行したり、停止したりすることが可能になる。よって、操作ボタンを押すなどの操作をすることなくプロジェクタの機能を操作することができることから、操作性を向上させることが可能になる。
【００１６】
上記した本発明に係るプロジェクタでは、前記制御部は、前記扉部の閉状態を前記検出部により検出したときに前記プロジェクタの電源をオフし、前記扉部の開状態を前記検出部により検出したときに前記電源をオンすることが望ましい。
【００１７】
この構成によれば、扉部の開閉動作に応じて電源を「オン／オフ」させることができるので、電源ボタンを押す煩わしい作業を行う必要がなくなり、操作性を向上させることが可能になる。
【００１８】
上記した本発明に係るプロジェクタでは、前記本体は、記録媒体を再生する再生装置を備え、前記検出部の信号に基づき前記扉部が閉状態のときに前記再生装置の再生を停止し、前記扉部が開状態のときに前記再生装置の再生を許可する。
【００１９】
この構成によれば、扉部の開閉動作に応じて再生装置の再生と停止を実行することができるので、「再生／停止」ボタンを押す煩わしい作業を行う必要がなくなり、操作性を向上させることが可能になる。
【００２０】
上記した本発明に係るプロジェクタでは、前記投写部は、前記本体に対し出没可能に設けられ、前記検出部の信号に基づき前記扉部が閉状態のときに前記本体に退避し、前記扉部が開状態のときに前記本体から突出する。
【００２１】
この構成によれば、扉部の開閉動作に応じて投写部を本体から出没させることから、操作ボタンなどを操作する煩わしい作業を行う必要がなくなり、操作性を向上させることが可能になる。
【発明を実施するための最良の形態】
【００２２】
以下、本発明に係るプロジェクタの実施形態について図面を参照しながら説明する。
【００２３】
図１〜図３は、本実施形態のプロジェクタ１を示す斜視図である。図１（ａ）は、視聴する状態のプロジェクタ１を、投写側に対して反対側からみた斜視図である。図１（ｂ）は、視聴する状態のプロジェクタ１を、投写側からみた斜視図である。図２，３は、視聴する状態のプロジェクタ１を６面図で示し、図２（ａ）〜（ｄ）は、それぞれ上面図、左側面図、正面図、底面図を示し、図３（ａ）、（ｂ）は、それぞれ右側面図、背面図を示す。以下、本実施形態のプロジェクタ１の構成を、図１〜図３を参照しながら説明する。
【００２４】
本実施形態のプロジェクタ１は、本体２と、扉部としての扉３と、スピーカ４とを有する。本体２は、略直方体形状の外装ケース２ａを有する。
【００２５】
本体２は、電源ボタン５と、再生装置であるＤＶＤ（Digital Versatile Disc）プレイヤ６と、メモリスロット７と、投写レンズ９と、冷却口１０とを有する。また、本体２の一側面には、リモコン８が着脱可能に設けられている。
【００２６】
電源ボタン５は、プロジェクタ１のメイン電源を「ＯＮ／ＯＦＦ」させるためのものであり、本体２の上面に設けられている。本体２は、例えば、電源ケーブルを介して電源コンセントと接続することにより電力が供給される。
【００２７】
ＤＶＤプレイヤ６は、例えば、ＤＶＤに記録された映画などのＤＶＤを再生するためのもので、本体の投写レンズ９とは反対側の背面に備えられている。
メモリスロット７は、外部メモリ（例えば、カード型メモリ）から画像データを読み込むための読み取り装置であり、前記ＤＶＤプレイヤ６の近傍に設けられている。
【００２８】
リモコン８は、プロジェクタ１の機能を遠隔操作するために用いられる。リモコン８は、図１（ａ）に示されるように、本体２の側面に収納されており、プロジェクタ１を使用するとき、本体２の側面に収納された状態、又は本体２から取り外して操作する。
【００２９】
投写レンズ９（図１（ｂ）、図２（ｃ）参照）は、ＤＶＤプレイヤ６、メモリスロット７および図示しない各種入力端子から入力した画像データに基づく画像を、スクリーン１１上に投写するために用いられる。
【００３０】
冷却口１０（図１（ｂ）参照）は、プロジェクタ１の本体２内部に備えられた、ランプを有する光源装置（図示せず）を冷却するために用いられる。冷却口１０は、空気を吸気及び排気するためスリット状の開口に形成されている。
【００３１】
外装ケース２ａは、前記プロジェクタ１の本体２の外側を覆うように設けられ、外からの衝撃から守るために用いられる。
【００３２】
扉３は、外装ケース２ａの両側面に２枚設けられている。さらに、２枚の扉３，３は、本体２に対して扇状に拡くように設けられている。扉３，３の開く方向は、画像の投写方向Ａに対して反対側である。つまり、２枚の扉３，３は、視聴者方向側Ｂに向かって開くようになっている。２枚の扉３，３を開くことにより、本体２と２枚の扉３，３とにより、プロジェクタ１を安定した状態で立てることが可能となっている。
【００３３】
スピーカ４は、本体２の左右に２つ設けられており、それぞれ略板状に形成されている。プロジェクタ１を使用しないとき、２つのスピーカ４，４は、本体２と扉３，３との間に、それぞれ収納されている。
２のスピーカ４，４は、プロジェクタ１を使用するとき、２枚の扉３，３の開動作により、本体２と２枚の扉３，３との間にそれぞれ畳まれていた状態から迫り出した状態（図１（ａ）参照）に動作する。迫り出した状態になったことにより、２つのスピーカ４，４は、視聴者方向Ｂに対して音声を出力することが可能になる。
迫り出した２つのスピーカ４，４の後方には、扉３，３と本体２とによって囲まれた空間を有するため、出力された音の視聴者方向Ｂへの指向性が向上する。
また、２つのスピーカ４，４は、２枚の扉３，３の閉動作により、迫り出していた状態から本体２と扉３，３との間に畳まれて収納される。
【００３４】
図４〜図６は、２枚の扉が閉まった状態のプロジェクタ１を示す図である。図４（ａ）は、２枚の扉が閉まった状態のプロジェクタを、背面側からみた斜視図である。図４（ｂ）は、２枚の扉が閉まった状態のプロジェクタを、正面側からみた斜視図である。図５，６は、２枚の扉３，３が閉まった状態のプロジェクタを６面図で示し、図５（ａ）〜（ｄ）は、それぞれ上面図、左側面図、正面図、底面図を示し、図６（ａ）、（ｂ）は、それぞれ右側面図、背面図を示す。以下、プロジェクタ１の構成を、図４〜図６を参照しながら説明する。
【００３５】
２枚の扉３，３が閉まった状態のスピーカ４，４は、本体２と２枚の扉３，３との間にそれぞれ畳まれて収納されている。本体２に２つのスピーカ４，４が収納されていることにより、従来の、プロジェクタとスピーカシステムが別体であった構成に比べ、スピーカシステムの準備や、プロジェクタとスピーカシステムとを接続する手間が省略されるとともに、移動するときの携帯性を向上させることができる。
一方、プロジェクタ１を使い終わったあとは、従来の、プロジェクタとスピーカシステムと接続していた配線を外すなどの煩わしい作業が必要なくなり、２つのスピーカ４，４を本体２と２枚の扉３，３との間に収納させた状態で持ち運ぶことが可能になるので、携帯性や収納性を向上させることができる。
【００３６】
図７は、扉３の開閉機構を模式的に示し、同図（ａ）は扉３の上面図、同図（ｂ）は同図（ａ）のＣ部を拡大して示した拡大斜視図である。以下、扉３を開閉させる機構を、図７を参照しながら説明する。なお、２枚の扉３，３は、本体２に対して左右対称であるので、右側についてのみ説明する。
【００３７】
図７（ａ）に示されるように、スピーカ４を迫り出すように扉３を開く機構は、扉３と、スピーカ４と、第１のヒンジ部２１と、第２のヒンジ部２２と、第３のヒンジ部２３とを有する。
【００３８】
扉３の投写レンズ９側の一端は、本体２と第１のヒンジ部２１を介して連結されている。第１のヒンジ部２１により、本体２に対して３を扇状に拡くように開閉させることが可能になる。
【００３９】
スピーカ４の一端は、本体２と第２のヒンジ部２２を介して連結されている。第２のヒンジ部２２により、スピーカ４を第２のヒンジ部２２を中心に回動させることが可能になる。
【００４０】
スピーカ４の一端は、扉３と第３のヒンジ部２３を介して連結されており、ヒンジ支点軸２３ａと摺動板２３ｂとを有している。第３のヒンジ部２３は、扉３に設けられた案内溝２４（図７（ｂ）参照）に沿って摺動可能に設けられている。このリンク機構２５によって、スピーカ４は、扉３の開動作に連動して、視聴者方向Ｂ側に迫り出すことが可能になっている。
【００４１】
次に、扉３を開けた時の、扉３とスピーカ４との動作を説明する。まず、プロジェクタ１を、例えば、台の上に載置したとき、扉３は閉じているので、収納位置Ｄの状態にある。このとき、スピーカ４は、本体２と扉３との間に、折り畳まれて収納されている。
【００４２】
扉３を第１の位置Ｆまで開けると、扉３は、第１のヒンジ部２１を中心に扇状に回動する。同時に、第３のヒンジ部２３が扉３の内面にある案内溝２４に沿って、同図（ｂ）に白抜き矢印に示す方向へ移動することによって、スピーカ４と扉３との連結部が、第２のヒンジ部２２を中心に位置Ｅから位置Ｇに移動する。
【００４３】
さらに、扉３を第２の位置Ｈまで開けると、スピーカ４は、第２のヒンジ部２２を中心に回動し、第３のヒンジ部２３が案内溝２４に沿って摺動することによって、位置Ｇから位置Ｉに摺動する。これにより、スピーカ４は、視聴者方向Ｂ側に迫り出した状態になる。
また、スピーカ４は、扉３を第１の位置Ｆや第２の位置Ｈに開くことに連動して角度が変えられる。つまり、聴音する方向に応じて、扉３の開く角度を調整し、スピーカ４の向きを変えることができる。
【００４４】
プロジェクタ１を使い終わった後、扉３を第２の位置Ｈから収納位置Ｄに閉めることにより、スピーカ４は、本体２と扉３との間に畳まれて収納される。プロジェクタ１は、図４に示されるような、すっきりした状態で持ち運ぶことが可能になり、元にあった位置に戻される。
なお、左側の扉３を開閉する機構は、右側の扉３を開閉する機構と同様に構成されている。
【００４５】
図８は、投写レンズのスライド機構を示し、（ａ）は正面側からみた斜視図、（ｂ）は本体内部の構造図である。以下、投写レンズ９のスライド機構を、図８を参照しながら説明する。プロジェクタ１の投写レンズ部３１は、投写レンズ９と、スライド機構３２と、モータ３３とを有する。
【００４６】
投写レンズ９は、モータ３３の回転運動がスライド機構３２を介して伝えられ、前後方向にスライドする。投写レンズ９は、前後方向へのスライド動作により、本体前面２ｂからの突出、及び、本体２に埋没することが可能になっている。投写レンズ９は、例えば、２枚の扉３，３を開けたとき、本体前面２ｂから突出するようになっている。詳述すると、プロジェクタ１のメイン電源が「ＯＮ」した状態になると、「ＯＮ」した信号をもとに、投写レンズ部３１のシャッター（図示せず）が開き、さらにモータ３３が駆動されることにより投写レンズ９が本体２から突出し、投写することが可能な待機状態になる。
【００４７】
図９は、プロジェクタの構成を示すブロック図である。以下、実施形態のプロジェクタの構成を、図９を参照しながら説明する。プロジェクタ１は、扉開閉検出部４１と、電源制御部４２と、画像再生部４３と、ＣＰＵ（Central Processing Unit）４４と、画像処理部４５と、投写部である画像投写装置４６と、音声処理部４７と、スピーカ４とを有する。
【００４８】
扉開閉検出部４１は、本体２に備えられ、２枚の扉３，３の開閉状態を検出する。扉開閉検出部４１は、２枚の扉３，３が所定の開度、（例えば、第１の位置Ｆ（図７（ａ）参照））まで開いたとき、開いたことを検出するようになっている。また、扉開閉検出部４１は、２枚の扉３，３の開閉する角度に応じて検出が行われる位置を、ユーザが設定できるように構成されていてもよい。
【００４９】
電源制御部４２は、プロジェクタ１のメイン電源を「ＯＮ／ＯＦＦ」させるために用いられる。電源制御部４２は、扉開閉検出部４１と電源ボタン５に接続されており、例えば、扉開閉検出部４１からの２枚の扉３，３が開いたことを示す検出信号を受け取り、かつ、電源ボタン５を「ＯＮ」した信号を受け取ったとき、メイン電源が「ＯＮ」するようになっている。
又、電源制御部４２は、例えば、電源ボタン５を「ＯＦＦ」にするか、２枚の扉３，３のうちどちらかが閉じた状態のとき、メイン電源を「ＯＦＦ」するようになっている。
【００５０】
画像再生部４３は、ＤＶＤ再生部５２と、メモリスロット部５３とを有する。ＤＶＤ再生部５２は、ＤＶＤに記録された画像データ及び音声データを再生する。メモリスロット部５３は、カード型メモリに記録された画像データ及び音声データの読み込みが行われる。
【００５１】
ＣＰＵ４４は、プロジェクタ１の全体の処理やタイミング管理を行う。ＣＰＵ４４は、例えば、電源制御部４２、画像再生部４３からの信号を読み取り、その内容に応じた命令や、条件判断を伴う処理をする。
【００５２】
画像処理部４５は、ＣＰＵ４４からの命令により、画像再生部４３から入力した画像信号に、その信号に応じた画像処理を施し、表示データへの変換を行う。更に、変換した画像データは、ガンマ補正等の画像処理が施される。画像処理が施された画像データは、画像投写装置４６に供給される。
【００５３】
画像投写装置４６は、画像投写部５４と、光源制御部５５と、モータ３３とを有する。
画像投写部５４は、図示しない、照射光学系と、液晶ライトバルブと、投写光学系と、投写レンズ９とを有する。照射光学系に備えられた光源から光を出射して、画像処理部から入力した画像データに応じて液晶ライトバルブにより変調する。次に、変調された変調光は、画像表示可能な光として、投写光学系を介して投写レンズ９からスクリーン１１上に投写される。
【００５４】
光源制御部５５は、ＣＰＵ４４からの命令により、画像投写部５４に備えられた光源の電源を制御する。例えば、扉開閉検出部４１によって２枚の扉３，３が開けられたことを示す信号と、電源ボタン５から電源が「ＯＮ」されたことを示す信号がＣＰＵ４４に入力されると、ＣＰＵ４４は、光源制御部５５に光源の電源を「ＯＮ」させるための命令を行う。この命令により、投写レンズ９のシャッターが開いて光源を「ＯＮ」する。また、メイン電源を「ＯＦＦ」させた信号がＣＰＵ４４に入力されると、ＣＰＵ４４は、光源制御部５５に光源の電源を「ＯＦＦ」させるための命令をする。この命令により、光源は「ＯＦＦ」される。なお、電源ボタン５が「ＯＮ」のまま、２枚の扉３，３の一方が閉じられても光源は「ＯＦＦ」される。
【００５５】
モータ３３は、画像投写部５４に備えられた投写レンズ９の出し入れをさせるために用いられる。モータ３３は、ＣＰＵ４４から、メイン電源が「ＯＮ」したことを示す信号を受け取ると、投写レンズ９を突出させるための動作に応じた回転が行われる。一方、モータ３３は、ＣＰＵ４４から、メイン電源が「ＯＦＦ」したことを示す信号を受け取ると、投写レンズ９を本体２に埋没させるための動作に応じた回転が行われる。
【００５６】
音声処理部４７は、ＣＰＵ４４からの命令により、ＤＶＤ再生部５２やメモリスロット部５３から入力された音声信号を、その信号に応じた音声処理を施し、音声データへの変換が行われる。音声処理を施された音声データは、Ｒ（Right）とＬ（Left）に区別され、スピーカ４，４にＲとＬの音声がそれぞれ出力される。
【００５７】
また、プロジェクタ１には、プロジェクタ１の機能を遠隔操作で操作するために、リモコン８の送信部５７から送信された赤外線信号を受信する受信部５８を有する。例えば、ボリュームを大きくしたいときは、まず、リモコン８のボリュームを大きくするためのボタンを押す。ボタンを押したことを示す信号が、リモコン８の送信部から赤外線信号としてプロジェクタ１の受信部５８に送信されると、前記信号は、受信部５８と接続されているＣＰＵ４４に伝達される。音声は、ＣＰＵ４４によって音声処理部４７にボリュームを大きくさせるための命令を行い、音声処理部４７によってボリュームを上げるための音声処理が行われ、スピーカ４から出力される。
【００５８】
以上詳述したように、本実施形態のプロジェクタ１によれば、以下に示す効果が得られる。
（１）本実施形態によれば、スピーカ４，４と本体２と扉３，３とを連結するリンク機構により、扉３の開動作に連動してスピーカ４，４を視聴者方向Ｂ側に迫り出すことが可能になり、扉の閉動作に連動してスピーカ４，４を本体２と扉３，３との間に収納することが可能になる。よって、プロジェクタ１を使うときには、迫り出された２つのスピーカ４，４によって音質が良く大きな音量の音声を聞くことが可能になる。また、プロジェクタ１を使い終わったあとは、従来の、本体と２つのスピーカとを接続している配線を外す煩わしい作業がなくなり、２つのスピーカ４，４を本体２と扉３，３との間に収納することができる。その結果、プロジェクタ１を移動するときの携帯性に優れ、しかも使用後の収納性を向上させることができる。
【００５９】
（２）本実施形態によれば、２枚の扉３，３の開閉状態を検出する扉開閉検出部４１を備えたことにより、扉３，３の開状態を検出したときに、投写レンズ９を本体２から突出したり、電源を「ＯＮ」するための待機状態にしたりすることが可能になる。また、扉３，３の閉状態を検出したときには、投写レンズ９を本体２に埋没させたり、電源を「ＯＦＦ」したりすることが可能になる。よって、プロジェクタ１の操作性を向上させることができる。
【００６０】
（３）本実施形態によれば、スピーカ４，４を投写方向に対して反対側に迫り出させるような構成にしたので、視聴者方向に向けて音声を出力することができる。また、迫り出した２つのスピーカ４，４の後方には、扉３，３と本体２とによって囲まれた空間を有するため、出力された音の視聴者方向への指向性を向上することができる。
【００６１】
（４）本実施形態によれば、スピーカ４，４と本体２と扉３，３とを連結したリンク機構を設けたことにより、聴音する方向に応じて、扉３の開く角度を調整し、スピーカ４の向きを変えることができる。
【００６２】
なお、本実施形態は上記に限定されず、以下のような形態で実施することもできる。
（変形例１）前記実施形態では、２枚の扉３，３を本体２に対して扇状に拡くように開閉させて、２つのスピーカ４，４を迫り出させる機構を用いた。これを、図１０に記載のように、本体６２の側面６２ｃに対して垂直方向にスライドさせて、スピーカ６４を視聴者方向Ｂ側に迫り出させる機構にしてもよい。同図（ａ）は、本変形例のプロジェクタを視聴者方向Ｂ側からみた斜視図であり、同図（ｂ）〜（ｄ）は、扉６３を開くときの動作を順に示す上面図である。
まず、スピーカ６４は、同図（ｂ）に示されるように、本体６２と扉６３との間に、折り畳まれた状態で収納されている。次に、同図（ｃ）に示されるように、扉６３をＸ方向に引っ張ることにより、第１のヒンジ部６５を中心にスピーカ６４と補助板６６がＹ方向に移動し、同時に、第２のヒンジ部６７がスライド溝６８に沿ってＺ方向に移動することにより、スピーカ６４が視聴者方向Ｂ側に迫り出してくる。さらに、同図（ｄ）に示されるように、扉６３をＸ方向に引っ張ることにより、スピーカ６４と補助板６６が更にＹ方向に迫り出し、聴音可能な状態になる。なお、もう一方の扉は、扉６３と同様に構成されているので、説明は省略する。
【００６３】
（変形例２）前記実施形態では、２枚の扉３，３の開度により、迫り出してきた２つのスピーカ４，４の向きを調整した。これを、図１１に記載のように、扉７３がＪ軸を中心に開いたあと、Ｋ軸を中心に回転させてスピーカ７４を上下方向に角度調整できる構成にしてもよい。
まず、扉７３を第１のヒンジ７５によってＪ軸を中心に扇状に開く。スピーカ７４は、スピーカ７４と扉７３との間で、例えば圧縮されたバネ（図示せず）が扉７３の開動作によって伸びることにより、第２のヒンジ７６を中心に矢印方向に迫り出すことが可能になっている。スピーカ７４は、予め決められた角度まで開く構造になっている。次に、扉７３を、同図（ｂ）に示されるように、第１のヒンジ７５によってＫ軸を中心に回転させることにより、スピーカ７４を上下方向に角度調整させることが可能になる。第１のヒンジ７５は、Ｊ軸を中心に回転させたり、Ｋ軸を中心に回転させたりすることが可能な機構になっている。これにより、スピーカ７４の向きを、視聴者の高さに合わせて調整することが可能になる。なお、もう一方の扉は、扉７３と同様に構成されているので、説明は省略する。また、２枚の扉７３，７３によって、本体７２のバランスを保っている。
【００６４】
（変形例３）前記実施形態では、スピーカ４，４が扉３，３に設けられた案内溝２４に沿って摺動し、迫り出してくる構成を用いていた。これを、スピーカ４，４が本体２に設けられた案内溝に沿って摺動し迫り出してくる構成にしてもよい。
【００６５】
（変形例４）前記実施形態では、２つのスピーカ４，４が２枚の扉３，３の開閉動作に連動して移動していた。これを、２つのスピーカ４，４は、２枚の扉３，３の開閉動作に関係なく、独立して動作するようにしてもよい。これによれば、２枚の扉３，３の開く角度に制限されずに、２つのスピーカ４，４の向きをそれぞれ調整することが可能になる。
【００６６】
（変形例５）前記実施形態では、２枚の扉３，３が本体２に対し扇状に拡くように開閉していた。これに加えて、２枚の扉３，３がそれぞれ上下二つに分かれており、上下それぞれ別々の角度に開閉するようにしてもよい。これによれば、本体２を安定に支持するための扉の開度と、スピーカから出力される音の向きに適した開度とを別々に調整することが可能になる。従って、スピーカの向きに関わらず、プロジェクタ１を安定して設置することができる。
【００６７】
（変形例６）前記実施形態では、２枚の扉３，３を開くことによって、スピーカ４（Ｒ（Right））、４（Ｌ（Left））を迫り出していた。これを、図１２に記載のように、設置面に対しプロジェクタ８１を横置きにしたときの上面の扉８３が開くことによって、ヒンジ８５を中心にステレオスピーカ８４，８４が迫り出すようにしてもよい。
【００６８】
（変形例７）前記実施形態では、扉３，３の開状態と、電源ボタン５を押して「ＯＮ」した状態とによってプロジェクタ１のメイン電源を「ＯＮ」していた。これを、扉３，３を開いた状態のみで、メイン電源が「ＯＮ」するようにしてもよい。これによれば、電源ボタン５を押す必要なくなるので、操作性が向上する。この場合、電源ボタンを廃止してもよい。また、扉３，３の動作に関係なく、電源ボタン５のみで「ＯＮ」するようにしてもよい。
【００６９】
（変形例８）前記プロジェクタは、本体２と電源コンセントとを接続することにより電力を供給していた。これを、図１３に示されるように、プロジェクタ９１にバッテリ（図示せず）を内蔵させて、充電器９２により電力を供給するようにしてもよい。充電器９２は、電源コード９３を介して電源コンセント９４に接続されている。プロジェクタ９１は、プロジェクタ９１の側面に設けられた接続部（図示せず）と、充電器９２に設けられた接続部（図示せず）とを接続することによって電力が供給される。これにより、電源コンセントが設置された場所や、電源コードの長さに制限されず、視聴する場所を任意に設定することが可能になる。
【図面の簡単な説明】
【００７０】
【図１】一実施形態における視聴状態のプロジェクタを示し、（ａ）は背面側からみた斜視図、（ｂ）は正面側からみた斜視図。
【図２】視聴状態のプロジェクタを６面図で示し、（ａ）〜（ｄ）はそれぞれ、上面図、左側面図、正面図、底面図。
【図３】視聴状態のプロジェクタを６面図で示し、（ａ）、（ｂ）はそれぞれ、右側面図、背面図。
【図４】扉を閉めた状態のプロジェクタを示し、（ａ）は背面側からみた斜視図、（ｂ）は正面側からみた斜視図。
【図５】扉を閉めた状態のプロジェクタを６面図で示し、（ａ）〜（ｄ）はそれぞれ、上面図、左側面図、正面図、底面図。
【図６】扉を閉めた状態のプロジェクタを６面図で示し、（ａ）、（ｂ）はそれぞれ、右側面図、背面図。
【図７】扉の開閉機構を示し、（ａ）は扉の上面図、（ｂ）は（ａ）のＣ部を拡大して示した拡大斜視図。
【図８】投写レンズのスライド機構を示し、（ａ）は正面側からみた斜視図、（ｂ）は本体内部の構造図。
【図９】プロジェクタの回路構成を示すブロック図。
【図１０】扉の開閉構造の変形例を示す斜視図及び上面図。
【図１１】扉の開閉構造の変形例を示す斜視図。
【図１２】扉の開閉構造の変形例を示す斜視図。
【図１３】プロジェクタの給電方法の変形例を示す斜視図。
【図１４】従来技術のプロジェクタの使用方法を示す斜視図。
【符号の説明】
【００７１】
１…プロジェクタ、２…本体、３…扉部としての扉、４…スピーカ、５…電源ボタン、６…ＤＶＤプレイヤ、７…メモリスロット、８…リモコン、９…投写レンズ、１０…冷却口、１１…スクリーン。
【図１】
2005308772.tif 000003
【図２】
2005308772.tif 000004
【図３】
2005308772.tif 000005
【図４】
2005308772.tif 000006
【図５】
2005308772.tif 000007
【図６】
2005308772.tif 000008
【図７】
2005308772.tif 000009
【図８】
2005308772.tif 000010
【図９】
2005308772.tif 000011
【図１０】
2005308772.tif 000012
【図１１】
2005308772.tif 000013
【図１２】
2005308772.tif 000014
【図１３】
2005308772.tif 000015
【図１４】
2005308772.tif 000016